(57)【特許請求の範囲】
【請求項１】
氏名を含む基本情報を記憶する会員データベースと、
交際の申込などの特定の相手に対する行動をとった行為者、及び前記相手を記憶する行動履歴データベースと、
前記会員データベースに登録された対象者に対して、前記会員データベースに登録された異性の中から推薦者を抽出する処理手段と、
前記処理手段で抽出された前記推薦者に関する情報を表示する表示手段と
を備えた結婚支援装置であって、
前記処理手段では、
前記対象者に交際の申込を行ったなどの行動履歴がある異性を第１異性リンク者として前記行動履歴データベースから抽出し、
抽出された前記第１異性リンク者が交際の申込を行ったなどの行動履歴がある同性を第１同性リンク者として前記行動履歴データベースから抽出し、
抽出された前記第１同性リンク者に交際の申込を行ったなどの行動履歴がある前記異性を推薦候補者として前記行動履歴データベースから抽出する
ことを特徴とする結婚支援装置。
【請求項２】
前記処理手段では、
前記第１同性リンク者と交際が成立した前記異性を前記推薦候補者として前記行動履歴データベースから抽出する
ことを特徴とする請求項１に記載の結婚支援装置。
【請求項３】
前記処理手段では、
前記対象者が交際の申込を行ったなどの行動履歴がある前記異性を第２異性リンク者として前記行動履歴データベースから抽出し、
抽出された前記第２異性リンク者に交際の申込を行ったなどの行動履歴がある前記同性を第２同性リンク者として前記行動履歴データベースから抽出し、
抽出された前記第２同性リンク者が交際の申込を行ったなどの行動履歴がある前記異性を第３異性リンク者として前記行動履歴データベースから抽出し、
前記第３異性リンク者の中で前記第１同性リンク者に交際の申込を行ったなどの行動履歴がある前記異性を前記推薦候補者として前記行動履歴データベースから抽出する
ことを特徴とする請求項１に記載の結婚支援装置。
【請求項４】
前記処理手段では、
前記第１同性リンク者と交際が成立していない前記異性を前記推薦候補者として前記行動履歴データベースから抽出する
ことを特徴とする請求項１に記載の結婚支援装置。
【請求項５】
前記行動履歴データベースには、入力手段で会員が選択した申込相手候補者がお気に入りリストとして登録され、
前記処理手段では、
抽出された前記推薦候補者が前記対象者の前記お気に入りリストに登録されている場合には、抽出された前記推薦候補者が前記対象者の前記お気に入りリストに登録されていない場合よりも上位ランクとなるように推薦者順位を決定する
ことを特徴とする請求項１から請求項４のいずれかに記載の結婚支援装置。
【請求項６】
前記行動履歴データベースには、入力手段で会員が選択した申込相手候補者がお気に入りリストとして登録され、
前記処理手段では、
抽出された前記推薦候補者が前記対象者を前記お気に入りリストに登録している場合には、抽出された前記推薦候補者が前記対象者を前記お気に入りリストに登録していない場合よりも上位ランクとなるように推薦者順位を決定する
ことを特徴とする請求項１から請求項４のいずれかに記載の結婚支援装置。
【請求項７】
前記会員データベースには、前記入力手段で前記対象者が入力した年齢、身長、職業、または年収などのこだわり条件が、こだわり条件順位とともに登録され、
前記お気に入りリストに、複数の前記申込相手候補者が登録されている場合には、前記処理手段では、前記対象者および／または前記申込相手候補者が登録しているこだわり条件および前記こだわり条件順位に従ってお気に入り順位を決定し、前記推薦者順位を前記お気に入り順位に従って決定する
ことを特徴とする請求項５または請求項６に記載の結婚支援装置。
【請求項８】
会員が出会の場として参加できるイベント情報を記憶するイベント情報データベースを備え、
前記イベント情報データベースには、既に行われたイベントへの参加会員情報を記憶し、
前記処理手段では、
対象イベントと同種の過去の前記イベントに参加したことがある第１会員リストを抽出し、
前記対象者が過去に参加した前記イベントに参加したことがある第２会員リストを抽出し、
前記第１会員リストと前記第２会員リストとの不一致率を演算し、
前記表示手段では、前記不一致率を前記対象イベントに対する前記対象者の新しい出会予報として表示する
ことを特徴とする請求項１から請求項７のいずれかに記載の結婚支援装置。
【請求項９】
氏名を含む基本情報を会員データベースに記憶し、
交際の申込などの特定の相手に対する行動をとった行為者、及び前記相手を行動履歴データベースに記憶し、
処理手段が、前記会員データベースに登録された対象者に対して、前記会員データベースに登録された異性の中から推薦者を抽出し、
表示手段が前記処理手段で抽出された前記推薦者に関する情報を表示する
結婚支援方法であって、
前記処理手段が、
前記対象者に交際の申込を行ったなどの行動履歴がある異性を第１異性リンク者として前記行動履歴データベースから抽出する第１ステップと、
抽出された前記第１異性リンク者が交際の申込を行ったなどの行動履歴がある同性を第１同性リンク者として前記行動履歴データベースから抽出する第２ステップと、
抽出された前記第１同性リンク者に交際の申込を行ったなどの行動履歴がある前記異性を推薦候補者として前記行動履歴データベースから抽出する第３ステップと
を有することを特徴とする結婚支援方法。
【請求項１０】
前記第３ステップでは、
前記第１同性リンク者と交際が成立した前記異性を前記推薦候補者として前記行動履歴データベースから抽出する
ことを特徴とする請求項９に記載の結婚支援方法。
【請求項１１】
前記処理手段が、
前記対象者が交際の申込を行ったなどの行動履歴がある前記異性を第２異性リンク者として前記行動履歴データベースから抽出する第４ステップと、
抽出された前記第２異性リンク者に交際の申込を行ったなどの行動履歴がある前記同性を第２同性リンク者として前記行動履歴データベースから抽出する第５ステップと、
抽出された前記第２同性リンク者が交際の申込を行ったなどの行動履歴がある前記異性を第３異性リンク者として前記行動履歴データベースから抽出する第６ステップと
を有し、
前記第３ステップでは、前記第６ステップで抽出された前記第３異性リンク者の中で、前記第１同性リンク者に交際の申込を行ったなどの行動履歴がある前記異性を前記推薦候補者として前記行動履歴データベースから抽出する
ことを特徴とする請求項９に記載の結婚支援方法。
【請求項１２】
前記第３ステップでは、
前記第１同性リンク者と交際が成立していない前記異性を前記推薦候補者として前記行動履歴データベースから抽出する
ことを特徴とする請求項９に記載の結婚支援方法。
【発明の詳細な説明】
【技術分野】
【０００１】
本発明は、交際の成立を支援する結婚支援装置および結婚支援方法に関する。
【背景技術】
【０００２】
特許文献１は、利用者同士の出会を支援する装置および方法を提案している。
特許文献１では、各利用者に紹介する他の利用者を自動的に選択して、この他の利用者に関する情報を各利用者に紹介（リコメンド）する機能を備えている。各利用者に他の利用者を紹介する際には、２種類の利用者（第１の利用者、第２の利用者）がリコメンドされる。第１の利用者とは、従来の出会いシステムと同様に、各利用者が好むと思われる他の利用者（各利用者の理想や好みにある程度合致した他の利用者。以下、理想者）である。また、第２の利用者とは、従来の出会いシステムとは異なり、各利用者を好むと思われる他の利用者（各利用者のことを好きだと思ってくれそうな他の利用者。以下、被理想者）である（例えば段落番号（００３１））。
理想者の選択は、特定の一人の男性の利用者Ｍ１の属性情報および心理テスト情報と、この利用者に対する女性の全ての利用者Ｆ１〜Ｆｎの属性情報および心理テスト情報とを利用者情報ＤＢ１１０から呼び出し、利用者Ｍ１の属性情報および利用者情報と、利用者Ｆ１〜Ｆｎの属性情報および利用者情報との整合性を評価し、整合性の最も高い異性の利用者Ｆｘを理想者とする。このような処理を全ての利用者Ｍ１〜Ｍｎ、Ｆ１〜Ｆｎについて繰り替えすことで、全ての利用者Ｍ１〜Ｍｎ、Ｆ１〜Ｆｎに対して理想者を選択する（例えば段落番号（００６１））。
被理想者の選択は、理想者を選択するロジックを応用する。すなわち、女性の利用者Ｆ１の理想者として男性の利用者Ｍ１が選択されると、この利用者Ｍ１にとっては、利用者Ｆ１が被理想者になる。すなわち、利用者Ｍ１は利用者Ｆ１の理想や好みにある程度合致している人であるから、この利用者Ｍ１から見れば、利用者Ｆ１は、当該利用者Ｍ１のことを好きだと思ってくれそうな人である。したがって、利用者Ｍ１の被理想者を選択するためには、利用者Ｆ１〜Ｆｎの理想者を選択するための処理を、利用者Ｍ１が理想者として選択されるまで順次行う（例えば段落番号（００６２））。
特許文献１は、各利用者に他の利用者を紹介した際の履歴に関する情報を格納する紹介履歴格納手段と、利用者のリコメンドを行った時間に関する情報を格納する時間情報格納手段を備え、各利用者のログインＩＤ、各利用者に対して理想者として紹介した他の利用者のログインＩＤ、当該他の利用者を紹介した日時、各利用者に対して被理想者として紹介した他の利用者のログインＩＤ、および当該他の利用者を紹介した日時、を相互に関連付けている。
【先行技術文献】
【特許文献】
【０００３】
【特許文献１】特開２００２−２０７８４２号公報
【発明の概要】
【発明が解決しようとする課題】
【０００４】
特許文献１では、リコメンド機能を備え、このリコメンド機能として、各利用者が好むと思われる他の利用者（理想者）をリコメンドする他に、各利用者を好むと思われる他の利用者（被理想者）をリコメンドしている。
特許文献１は、各利用者に対して紹介することのできる利用者の数を増やすことを目的とし、理想者や被理想者の選択ロジックには公知のマッチングロジックを用いている。
また、特許文献１では、紹介履歴情報を記憶させているが、例えば１週間以内に同じ利用者を既にリコメンドしていないかをチェックするに過ぎない。
本発明者らは、既に運営している結婚支援システムに登録されているデータを分析した結果、例えば、お見合いは女性から男性に申し込んだ方が逆の場合より成功率が２倍である、男性は若い女性に申し込む傾向が高いが交際成立の比率は低い、または、行動パターンが共通するタイプのヒトが互いに同様のイベントに参加しているなど、実際の行動データには傾向があることを見出した。
【０００５】
そこで本発明は、過去に交際を申し込んだことがあるという実際の行動データを基にして、同じ好みの異性が選んだ同性または、同じ異性を好む同性をリンク者として推薦候補者を抽出することで、交際の成立を高めることができる結婚支援装置および結婚支援方法を提供することを目的とする。
【課題を解決するための手段】
【０００６】
請求項１記載の本発明の結婚支援装置は、氏名を含む基本情報を記憶する会員データベースと、交際の申込などの特定の相手に対する行動をとった行為者、及び前記相手を記憶する行動履歴データベースと、前記会員データベースに登録された対象者に対して、前記会員データベースに登録された異性の中から推薦者を抽出する処理手段と、前記処理手段で抽出された前記推薦者に関する情報を表示する表示手段とを備えた結婚支援装置であって、前記処理手段では、前記対象者に交際の申込を行ったなどの行動履歴がある異性を第１異性リンク者として前記行動履歴データベースから抽出し、抽出された前記第１異性リンク者が交際の申込を行ったなどの行動履歴がある同性を第１同性リンク者として前記行動履歴データベースから抽出し、抽出された前記第１同性リンク者に交際の申込を行ったなどの行動履歴がある前記異性を推薦候補者として前記行動履歴データベースから抽出することを特徴とする。
請求項２記載の本発明は、請求項１に記載の結婚支援装置において、前記処理手段では、前記第１同性リンク者と交際が成立した前記異性を前記推薦候補者として前記行動履歴データベースから抽出することを特徴とする。
請求項３記載の本発明は、請求項１に記載の結婚支援装置において、前記処理手段では、前記対象者が交際の申込を行ったなどの行動履歴がある前記異性を第２異性リンク者として前記行動履歴データベースから抽出し、抽出された前記第２異性リンク者に交際の申込を行ったなどの行動履歴がある前記同性を第２同性リンク者として前記行動履歴データベースから抽出し、抽出された前記第２同性リンク者が交際の申込を行ったなどの行動履歴がある前記異性を第３異性リンク者として前記行動履歴データベースから抽出し、前記第３異性リンク者の中で前記第１同性リンク者に交際の申込を行ったなどの行動履歴がある前記異性を前記推薦候補者として前記行動履歴データベースから抽出することを特徴とする。
請求項４記載の本発明は、請求項１に記載の結婚支援装置において、前記処理手段では、前記第１同性リンク者と交際が成立していない前記異性を前記推薦候補者として前記行動履歴データベースから抽出することを特徴とする。
請求項５記載の本発明は、請求項１から請求項４のいずれかに記載の結婚支援装置において、前記行動履歴データベースには、入力手段で会員が選択した申込相手候補者がお気に入りリストとして登録され、前記処理手段では、抽出された前記推薦候補者が前記対象者の前記お気に入りリストに登録されている場合には、抽出された前記推薦候補者が前記対象者の前記お気に入りリストに登録されていない場合よりも上位ランクとなるように推薦者順位を決定することを特徴とする。
請求項６記載の本発明は、請求項１から請求項４のいずれかに記載の結婚支援装置において、前記行動履歴データベースには、入力手段で会員が選択した申込相手候補者がお気に入りリストとして登録され、前記処理手段では、抽出された前記推薦候補者が前記対象者を前記お気に入りリストに登録している場合には、抽出された前記推薦候補者が前記対象者を前記お気に入りリストに登録していない場合よりも上位ランクとなるように推薦者順位を決定することを特徴とする。
請求項７記載の本発明は、請求項５または請求項６に記載の結婚支援装置において、前記会員データベースには、前記入力手段で前記対象者が入力した年齢、身長、職業、または年収などのこだわり条件が、こだわり条件順位とともに登録され、前記お気に入りリストに、複数の前記申込相手候補者が登録されている場合には、前記処理手段では、前記対象者および／または前記申込相手候補者が登録しているこだわり条件および前記こだわり条件順位に従ってお気に入り順位を決定し、前記推薦者順位を前記お気に入り順位に従って決定することを特徴とする。
請求項８記載の本発明は、請求項１から請求項７のいずれかに記載の結婚支援装置において、会員が出会の場として参加できるイベント情報を記憶するイベント情報データベースを備え、前記イベント情報データベースには、既に行われたイベントへの参加会員情報を記憶し、前記処理手段では、対象イベントと同種の過去の前記イベントに参加したことがある第１会員リストを抽出し、前記対象者が過去に参加した前記イベントに参加したことがある第２会員リストを抽出し、前記第１会員リストと前記第２会員リストとの不一致率を演算し、前記表示手段では、前記不一致率を前記対象イベントに対する前記対象者の新しい出会予報として表示することを特徴とする。
請求項９記載の本発明の結婚支援方法は、氏名を含む基本情報を会員データベースに記憶し、交際の申込などの特定の相手に対する行動をとった行為者、及び前記相手を行動履歴データベースに記憶し、処理手段が、前記会員データベースに登録された対象者に対して、前記会員データベースに登録された異性の中から推薦者を抽出し、表示手段が前記処理手段で抽出された前記推薦者に関する情報を表示する結婚支援方法であって、前記処理手段が、前記対象者に交際の申込を行ったなどの行動履歴がある異性を第１異性リンク者として前記行動履歴データベースから抽出する第１ステップと、抽出された前記第１異性リンク者が交際の申込を行ったなどの行動履歴がある同性を第１同性リンク者として前記行動履歴データベースから抽出する第２ステップと、抽出された前記第１同性リンク者に交際の申込を行ったなどの行動履歴がある前記異性を推薦候補者として前記行動履歴データベースから抽出する第３ステップとを有することを特徴とする。
請求項１０記載の本発明は、請求項９に記載の結婚支援方法において、前記第３ステップでは、前記第１同性リンク者と交際が成立した前記異性を前記推薦候補者として前記行動履歴データベースから抽出することを特徴とする。
請求項１１記載の本発明は、請求項９に記載の結婚支援方法において、前記処理手段が、前記対象者が交際の申込を行ったなどの行動履歴がある前記異性を第２異性リンク者として前記行動履歴データベースから抽出する第４ステップと、抽出された前記第２異性リンク者に交際の申込を行ったなどの行動履歴がある前記同性を第２同性リンク者として前記行動履歴データベースから抽出する第５ステップと、抽出された前記第２同性リンク者が交際の申込を行ったなどの行動履歴がある前記異性を第３異性リンク者として前記行動履歴データベースから抽出する第６ステップとを有し、前記第３ステップでは、前記第６ステップで抽出された前記第３異性リンク者の中で、前記第１同性リンク者に交際の申込を行ったなどの行動履歴がある前記異性を前記推薦候補者として前記行動履歴データベースから抽出することを特徴とする。
請求項１２記載の本発明は、請求項９に記載の結婚支援方法において、前記第３ステップでは、前記第１同性リンク者と交際が成立していない前記異性を前記推薦候補者として前記行動履歴データベースから抽出することを特徴とする。
【発明の効果】
【０００７】
本発明の結婚支援装置または結婚支援方法によれば、異性からの好まれ方が対象者と同じグループであると考えられる第１同性リンク者を抽出し、この第１同性リンク者に交際の申込を行ったなどの行動履歴がある異性は対象者を好む可能性が高いため、このような異性を推薦候補者として抽出することで、交際が成立する可能性を高めることができる。
【図面の簡単な説明】
【０００８】
【図１】本発明の一実施例による結婚支援装置を機能実現手段で表したブロック図
【図２】本実施例による結婚支援装置を利用する会員の主な画面遷移を示す図
【図３】本実施例による相手一覧表示画面のイメージ図
【図４】相手の詳細情報表示画面のイメージ図
【図５】イベント一覧画面のイメージ図
【図６】本実施例による結婚支援装置での第１推薦者を表示するための処理流れを示すフロー図
【図７】同処理流れの説明図
【図８】本実施例による結婚支援装置での第２推薦者を表示するための処理流れを示すフロー図
【図９】同処理流れの説明図
【図１０】本実施例による結婚支援装置での第３推薦者を表示するための処理流れを示すフロー図
【図１１】同処理流れの説明図
【図１２】本実施例による結婚支援装置での新しい出会予報の算出処理を示すフロー図
【発明を実施するための形態】
【０００９】
本発明の第１の実施の形態による結婚支援装置は、処理手段では、対象者に交際の申込を行ったなどの行動履歴がある異性を第１異性リンク者として行動履歴データベースから抽出し、抽出された第１異性リンク者が交際の申込を行ったなどの行動履歴がある同性を第１同性リンク者として行動履歴データベースから抽出し、抽出された第１同性リンク者に交際の申込を行ったなどの行動履歴がある異性を推薦候補者として行動履歴データベースから抽出するものである。本実施の形態によれば、第１同性リンク者は異性からの好まれ方が対象者と同じグループであると考えられ、この第１同性リンク者に交際の申込を行ったなどの行動履歴がある異性は対象者を好む可能性が高いため、このような異性を推薦候補者として抽出することで、交際が成立する可能性を高めることができる。
【００１０】
本発明の第２の実施の形態は、第１の実施の形態による結婚支援装置において、処理手段では、第１同性リンク者と交際が成立した異性を推薦候補者として行動履歴データベースから抽出するものである。本実施の形態によれば、交際の申込を行っただけでなくその結果として交際が成立した異性を推薦候補者とすることで、更に交際が成立する可能性を高めることができる。
【００１１】
本発明の第３の実施の形態は、第１の実施の形態による結婚支援装置において、処理手段では、対象者が交際の申込を行ったなどの行動履歴がある異性を第２異性リンク者として行動履歴データベースから抽出し、抽出された第２異性リンク者に交際の申込を行ったなどの行動履歴がある同性を第２同性リンク者として行動履歴データベースから抽出し、抽出された第２同性リンク者が交際の申込を行ったなどの行動履歴がある異性を第３異性リンク者として行動履歴データベースから抽出し、第３異性リンク者の中で第１同性リンク者に交際の申込を行ったなどの行動履歴がある異性を推薦候補者として行動履歴データベースから抽出するものである。本実施の形態によれば、第２同性リンク者は異性に対する好み方が対象者と同じグループであると考えられ、この第２同性リンク者が交際の申込を行ったなどの行動履歴がある異性は対象者が好む可能性が高いため、このような異性に更に絞ることで、更に交際が成立する可能性を高めることができる。
【００１２】
本発明の第４の実施の形態は、第１の実施の形態による結婚支援装置において、処理手段では、第１同性リンク者と交際が成立していない異性を推薦候補者として行動履歴データベースから抽出するものである。本実施の形態によれば、例えば第２の実施の形態では十分な推薦候補者数が抽出できない場合に有効である。
【００１３】
本発明の第５の実施の形態は、第１から第４のいずれかの実施の形態による結婚支援装置において、行動履歴データベースには、入力手段で会員が選択した申込相手候補者がお気に入りリストとして登録され、処理手段では、抽出された推薦候補者が対象者のお気に入りリストに登録されている場合には、抽出された推薦候補者が対象者のお気に入りリストに登録されていない場合よりも上位ランクとなるように推薦者順位を決定するものである。本実施の形態によれば、複数の推薦候補者が抽出された場合に、対象者の好みに合う異性を上位に表示させることができる。
【００１４】
本発明の第６の実施の形態は、第１から第４のいずれかの実施の形態による結婚支援装置において、行動履歴データベースには、入力手段で会員が選択した申込相手候補者がお気に入りリストとして登録され、処理手段では、抽出された推薦候補者が対象者をお気に入りリストに登録している場合には、抽出された推薦候補者が対象者をお気に入りリストに登録していない場合よりも上位ランクとなるように推薦者順位を決定するものである。本実施の形態によれば、複数の推薦候補者が抽出された場合に、交際が成立する可能性が高い異性を上位に表示させることができる。
【００１５】
本発明の第７の実施の形態は、第５または第６の実施の形態による結婚支援装置において、会員データベースには、入力手段で対象者が入力した年齢、身長、職業、または年収などのこだわり条件が、こだわり条件順位とともに登録され、お気に入りリストに、複数の申込相手候補者が登録されている場合には、処理手段では、対象者および／または申込相手候補者が登録しているこだわり条件およびこだわり条件順位に従ってお気に入り順位を決定し、推薦者順位をお気に入り順位に従って決定するものである。本実施の形態によれば、こだわり条件に合致する異性を上位に表示させることができる。
【００１６】
本発明の第８の実施の形態は、第１から第７のいずれかの実施の形態による結婚支援装置において、会員が出会の場として参加できるイベント情報を記憶するイベント情報データベースを備え、イベント情報データベースには、既に行われたイベントへの参加会員情報を記憶し、処理手段では、対象イベントと同種の過去のイベントに参加したことがある第１会員リストを抽出し、対象者が過去に参加したイベントに参加したことがある第２会員リストを抽出し、第１会員リストと第２会員リストとの不一致率を演算し、表示手段では、不一致率から対象イベントに対する対象者の新しい出会予報として表示するものである。本実施の形態によれば、新しい出会のチャンスの多さを知ることができ、新しい出会の可能性の高いイベントに参加することができる。
【００１７】
本発明の第９の実施の形態による結婚支援方法は、処理手段が、対象者に交際の申込を行ったなどの行動履歴がある異性を第１異性リンク者として行動履歴データベースから抽出する第１ステップと、抽出された第１異性リンク者が交際の申込を行ったなどの行動履歴がある同性を第１同性リンク者として行動履歴データベースから抽出する第２ステップと、抽出された第１同性リンク者に交際の申込を行ったなどの行動履歴がある異性を推薦候補者として行動履歴データベースから抽出する第３ステップとを有するものである。本実施の形態によれば、第１同性リンク者は異性からの好まれ方が対象者と同じグループであると考えられ、この第１同性リンク者に交際の申込を行ったなどの行動履歴がある異性は対象者を好む可能性が高いため、このような異性を推薦候補者として抽出することで、交際が成立する可能性を高めることができる。
【００１８】
本発明の第１０の実施の形態は、第９の実施の形態による結婚支援方法において、第３ステップでは、第１同性リンク者と交際が成立した異性を推薦候補者として行動履歴データベースから抽出するものである。本実施の形態によれば、交際の申込を行っただけでなくその結果として交際が成立した異性を推薦候補者とすることで、更に交際が成立する可能性を高めることができる。
【００１９】
本発明の第１１の実施の形態は、第９の実施の形態による結婚支援方法において、処理手段が、対象者が交際の申込を行ったなどの行動履歴がある異性を第２異性リンク者として行動履歴データベースから抽出する第４ステップと、抽出された第２異性リンク者に交際の申込を行ったなどの行動履歴がある同性を第２同性リンク者として行動履歴データベースから抽出する第５ステップと、抽出された第２同性リンク者が交際の申込を行ったなどの行動履歴がある異性を第３異性リンク者として行動履歴データベースから抽出する第６ステップとを有し、第３ステップでは、第６ステップで抽出された第３異性リンク者の中で、第１同性リンク者に交際の申込を行ったなどの行動履歴がある異性を推薦候補者として行動履歴データベースから抽出するものである。本実施の形態によれば、第２同性リンク者は異性に対する好み方が対象者と同じグループであると考えられ、この第２同性リンク者が交際の申込を行ったなどの行動履歴がある異性は対象者が好む可能性が高いため、このような異性に更に絞ることで、更に交際が成立する可能性を高めることができる。
【００２０】
本発明の第１２の実施の形態は、第９の実施の形態による結婚支援方法において、第３ステップでは、第１同性リンク者と交際が成立していない異性を推薦候補者として行動履歴データベースから抽出するものである。本実施の形態によれば、例えば第１０の実施の形態では十分な推薦候補者数が抽出できない場合に有効である。
【実施例】
【００２１】
以下本発明の実施例について図面とともに説明する。
図１は本実施例による結婚支援装置を機能実現手段で表したブロック図である。
本実施例による結婚支援装置は、氏名を含む基本情報を記憶する会員データベース１１と、交際の申込などの特定の相手に対する行動をとった行為者及びその相手を記憶する行動履歴データベース１２と、会員が出会の場として参加できるイベント情報を記憶するイベント情報データベース１３を備えている。
会員データベース１１には、基本情報の他に、プロフィール情報、こだわり情報、および退会情報を記憶している。
基本情報は、氏名の他に、例えば、生年月日、性別、年齢、住所、連絡先、身長、最終学歴、職業、家族構成、婚歴、および扶養家族の有無などの情報である。
プロフィール情報は、例えば、血液型、出身校、資格、勤務先、勤続年数、年収、喫煙の有無、飲酒の程度、住居、結婚後の同居希望、趣味、および自己ＰＲなどの情報である。
こだわり情報は、相手に関して、例えば、年齢、身長、職業、年収、居住地、最終学歴、婚歴、子の有無、養子、同居、喫煙の有無、および飲酒の程度などのこだわり条件についての情報であり、こだわるか否か、そして、こだわる場合にはこだわり条件順位についても記憶される。
【００２２】
会員データベース１１に記憶される情報は、基本的には本システムを利用する会員が入力手段２０から入力することで登録される。
行動履歴データベース１２には、交際の申込者、交際の申込相手、申込日、及び申込の結果（交際か拒否）が記憶される。これらの情報は、申込者および申込相手の双方が会員を退会した後にも、蓄積されてリンク者情報として用いられる。
また、行動履歴データベース１２には、会員が選択した申込相手候補者がお気に入りリストとして登録される。
イベント情報データベース１３には、開催されるイベントに関する情報とともに、既に行われたイベントへの参加会員情報を記憶している。
【００２３】
本実施例による結婚支援装置は、入力手段２０と、処理手段３０と、処理手段３０で処理された情報やイベント情報を表示する表示手段４０とを備えている。
入力手段２０は、会員が基本情報、こだわり情報、申込相手候補者、またはイベント申込を入力する他、支援運営者が個別に会員やイベントに対する情報を入力する。
処理手段３０は、会員データベース１１に登録された対象者に対して、会員データベース１１に登録された異性の中から推薦者を抽出する推薦者抽出手段３１と、複数の申込相手候補者がお気に入りリストに登録されている場合に、申込相手候補者の表示順を決定するお気に入り順位決定手段３２と、推薦者抽出手段３１で抽出された推薦者の表示順を決定する推薦者順位決定手段３３と、募集中のイベントに対して新しい出会のチャンスの多さを出会予報として演算する出会度演算手段３４とを備えている。
表示手段４０は、基本情報、こだわり情報、申込相手候補者、またはイベント申込の入力画面や、登録された基本情報、こだわり情報、申込相手候補者、またはイベントの閲覧画面が表示される。
【００２４】
図２は本実施例による結婚支援装置を利用する会員の主な画面遷移を示す図、図３は相手一覧表示画面のイメージ図、図４は相手の詳細情報表示画面のイメージ図、図５はイベント一覧画面のイメージ図である。
【００２５】
図２を用いて会員が利用する主な画面遷移について説明する。
利用希望者は、基本情報を入力手段２０で入力することで会員データベース１１に基本情報が登録され会員となる（ステップ１）。
会員はステップ１における基本情報登録とともに、または基本情報登録の後にこだわり情報登録を行う（ステップ２）。
ステップ２におけるこだわり情報登録では、既に登録したこだわり条件についてその内容を変更し、またはこだわり条件順位を変更することができる。
会員は、ステップ２におけるこだわり情報登録の後に、会員データベース１１に登録されている相手（異性）情報を閲覧できる。
会員は、相手情報の閲覧として、こだわり度順相手一覧表示と（ステップ３）、お勧め相手一覧表示（ステップ４）とを選択することができる。
ステップ３におけるこだわり度順相手一覧表示では、会員（対象者）がステップ２で登録したこだわり条件に一致する相手を、こだわり条件順位に従って表示される。なお、会員（対象者）が相手のこだわり条件に一致しない場合には表示対象から除外してもよい。
ステップ４におけるお勧め相手一覧表示では、推薦者抽出手段３１で抽出された推薦者候補者を、推薦者順位決定手段３３で決定された順位に従って表示される。
【００２６】
図３に、ステップ３におけるこだわり度順相手一覧表示、またはステップ４におけるお勧め相手一覧表示のイメージ図を示す。
相手一覧表示では、会員を特定するＩＤ番号の他、例えば年齢、居住区域、相手のこだわり度が表示される。
また、相手一覧表示では、既に会員（対象者）が申込相手候補者としてお気に入りリストに登録しているか否かを選択状況欄に「選択済み」として表示する。
なお、ステップ３またはステップ４における相手一覧表示画面から、ステップ２におけるこだわり情報登録画面に戻ることができ、ステップ２におけるこだわり情報登録画面でこだわり条件またはこだわり条件順位を変更することで、ステップ３またはステップ４における相手一覧表示内容は変更される。
会員（対象者）は、ステップ３またはステップ４における相手一覧表示画面から、申込相手候補者を選択することができ、選択した申込相手候補者はお気に入りリストに登録される（ステップ５）。
ステップ５で登録されたお気に入りリストの内容は、申込相手候補者を確認するために閲覧できるとともに、お気に入りリスト登録画面から交際の申込相手を選択でき、交際の申込登録を行うことができる（ステップ７）。
お気に入りリストに、複数の申込相手候補者が登録されている場合には、お気に入り順位決定手段３２によって、対象者および／または申込相手候補者が登録しているこだわり条件およびこだわり条件順位に従ってお気に入り順位が決定され、決定されたお気に入り順位に従ってお気に入りリストが表示される。
ステップ７において交際の申込登録が行われると、申込者、申込相手、および申込日が行動履歴データベース１２に登録される。
【００２７】
図３で表示されている「詳細」ボタンを指示することで、図４に示すように、相手のこだわり情報を閲覧することができる（ステップ６）。相手のこだわり情報では、相手のこだわり条件内容およびこだわり条件順位を閲覧することができる。
図４で表示されている「前に戻る」ボタンを指示することで、図３に示す相手一覧表示画面に戻ることができ、既に申込相手候補者として選択している相手である場合には、「申込リストから削除する」ボタンが表示され、このボタンを指示することでお気に入りリストから除外される。
【００２８】
会員はステップ１における基本情報登録の後に、イベント一覧を閲覧することができる（ステップ８）。
図５に示すように、ステップ８におけるイベント一覧表示では、イベント単位で、イベントの開催日、現在公開中のイベント名、開催場所、新しい出会予報、および応募入力（「応募する」）ボタンが表示される。
図５に表示されるイベント名を指示することでイベント詳細情報が表示される（ステップ９）。
【００２９】
図６から図１１を用いて図２に示すお勧め一覧表示のための処理流れを説明する。なお、以下の説明では、対象者を男性として説明する。
【００３０】
図６は、本実施例による結婚支援装置での第１推薦者を表示するための処理流れを示すフロー図、図７は同処理流れの説明図である。
第１推薦者を抽出するための処理は、図１に示す推薦者抽出手段３１で行われる。
推薦者抽出手段３１では、対象者（男性）Ｍ１１に交際の申込を行ったことがある異性Ｗ１１を第１異性リンク者ＷＬ１１として行動履歴データベース１２から抽出する（ステップ１１）。
推薦者抽出手段３１では、ステップ１１の後に、抽出された第１異性リンク者ＷＬ１１が交際の申込を行ったことがある同性（男性）Ｍ１２、Ｍ１３、Ｍ１４を第１同性リンク者ＭＬ１１として行動履歴データベース１２から抽出する（ステップ１２）。
推薦者抽出手段３１では、ステップ１２の後に、抽出された第１同性リンク者ＭＬ１１に交際の申込を行ったことがある異性Ｗ１２、Ｗ１３、Ｗ１４を推薦候補者Ｒ１０とし、推薦候補者Ｒ１０の中で更に第１同性リンク者ＭＬ１１と交際が成立した異性Ｗ１４を第１推薦候補者Ｒ１１として行動履歴データベース１２から抽出する（ステップ１３）。
推薦者抽出手段３１では、ステップ１３の後に、抽出された第１推薦候補者Ｒ１１の中で退会者を除外し（ステップ１４）、抽出された第１推薦候補者Ｒ１１の中で他の男性と交際中（申込中を含む）の女性を除外し（ステップ１５）、抽出された第１推薦候補者Ｒ１１の中で既に対象者Ｍ１１と交際した女性を除外する（ステップ１６）。
ステップ１４からステップ１６での処理によって、第１推薦候補者Ｒ１１の中から推薦不適者を除外して第１推薦者が決定される。
【００３１】
処理手段３０では、ステップ１１からステップ１６までの第１推薦者の抽出処理の後に、第１推薦者の表示順位決定のための処理を行う。第１推薦者の表示順位処理は、図１に示す推薦者順位決定手段３３で行われる。
推薦者順位決定手段３３では、決定された第１推薦者が対象者Ｍ１１のお気に入りリストに登録され、かつ対象者Ｍ１１が決定された第１推薦者のお気に入りリストに登録されているか否かを判断する（ステップ５１）。
推薦者順位決定手段３３では、ステップ５１において第１推薦者が対象者Ｍ１１のお気に入りリストに登録され、かつ対象者Ｍ１１が第１推薦者のお気に入りリストに登録されている場合（Ｙｅｓ）には、最上位ランクとなるように推薦者順位を決定し、更に最上位ランクに複数の第１推薦者が該当する場合には、対象者Ｍ１１についてのお気に入り順位に従って最上位ランクの中での表示順位を決定する（ステップ５２）。
【００３２】
推薦者順位決定手段３３では、ステップ５１においてＮｏの場合には、ステップ５３において第１推薦者が対象者Ｍ１１のお気に入りリストに登録されているか、または対象者Ｍ１１が第１推薦者のお気に入りリストに登録されているかが判断される。
ステップ５３において、第１推薦者が対象者Ｍ１１または第１推薦者のお気に入りリストに登録されている場合（Ｙｅｓ）には、ステップ５２で決定される最上位ランクの次の上位ランクが決定され、更に上位ランクに複数の第１推薦者が該当する場合には、対象者Ｍ１１についてのお気に入り順位、または対象者Ｍ１１若しくは第１推薦者のこだわり条件に従って上位ランクの中での表示順位が決定される（ステップ５４）。
ステップ５３において、第１推薦者が対象者Ｍ１１および第１推薦者のいずれのお気に入りリストにも登録されていない場合（Ｎｏ）には、ステップ５３で決定される上位ランクよりも下のランクが決定され、更に複数の第１推薦者が該当する場合には、対象者Ｍ１１または／および第１推薦者のこだわり条件に従って表示順位が決定される（ステップ５５）。
ステップ５１からステップ５５での処理によって、第１推薦者の表示順位が決定され、決定された表示順位に従って第１推薦者がお勧め相手一覧表示される（ステップ５６）。
ステップ５６における第１推薦者表示は、図２に示すステップ４おけるお勧め相手一覧表示である。
【００３３】
本実施例によれば、第１同性リンク者ＭＬ１１は異性からの好まれ方が対象者Ｍ１１と同じグループであると考えられ、この第１同性リンク者ＭＬ１１に交際の申込を行ったことがある異性Ｗ１２、Ｗ１３、Ｗ１４は対象者Ｍ１１を好む可能性が高いため、このような異性Ｗ１２、Ｗ１３、Ｗ１４を推薦候補者Ｒ１０として抽出することで、交際が成立する可能性を高めることができる。
また、本実施例によれば、交際の申込を行っただけでなくその結果として交際が成立した異性Ｗ１４を第１推薦候補者Ｒ１１とすることで、更に交際が成立する可能性を高めることができる。
【００３４】
図８は、本実施例による結婚支援装置での第２推薦者を表示するための処理流れを示すフロー図、図９は同処理流れの説明図である。
第２推薦者を抽出するための処理は、図１に示す推薦者抽出手段３１で行われる。
第２推薦者は、条件が似ている第１分析と好みが似ている第２分析によって抽出される。
推薦者抽出手段３１では、対象者（男性）Ｍ２１に交際の申込を行ったことがある異性Ｗ２１、Ｗ２２を第１異性リンク者ＷＬ２１として行動履歴データベース１２から抽出する（ステップ１１）。
推薦者抽出手段３１では、ステップ１１の後に、抽出された第１異性リンク者ＷＬ２１が交際の申込を行ったことがある同性Ｍ２２、Ｍ２３を第１同性リンク者ＭＬ２１として行動履歴データベース１２から抽出する（ステップ１２）。
ステップ１１およびステップ１２によって、条件が似ている第１分析が行われ、第１同性リンク者ＭＬ２１が抽出される。
【００３５】
推薦者抽出手段３１では、対象者（男性）Ｍ２１が交際の申込を行ったことがある異性Ｗ２３を第２異性リンク者ＷＬ２２として行動履歴データベース１２から抽出する（ステップ２１）。
推薦者抽出手段３１では、ステップ２１の後に、抽出された第２異性リンク者ＷＬ２２に交際の申込を行ったことがある同性Ｍ２４、Ｍ２５、Ｍ２６を第２同性リンク者ＭＬ２２として行動履歴データベース１２から抽出する（ステップ２２）。
推薦者抽出手段３１では、ステップ２２の後に、抽出された第２同性リンク者ＭＬ２２が交際の申込を行ったことがある異性（女性）Ｗ２４、Ｗ２５、Ｗ２６、Ｗ２７を第３異性リンク者ＷＬ２３として抽出する（ステップ２３）。
ステップ２１からステップ２３によって、好みが似ている第２分析が行われ、第３異性リンク者ＷＬ２３が抽出される。
推薦者抽出手段３１では、ステップ１２およびステップ２３の後に、第２分析で抽出された第３異性リンク者ＷＬ２３の中で、第１分析で抽出された第１同性リンク者ＭＬ２１に交際の申込を行ったことがある女性Ｗ２６、Ｗ２７を第２推薦候補者Ｒ１２として抽出する（ステップ２４）。
【００３６】
推薦者抽出手段３１では、ステップ２４の後に、抽出された第２推薦候補者Ｒ１２の中で退会者を除外し（ステップ１４）、抽出された第２推薦候補者Ｒ１２の中で他の男性と交際中（申込中を含む）の女性を除外し（ステップ１５）、抽出された第２推薦候補者Ｒ１２の中で既に対象者Ｍ２１と交際した女性を除外する（ステップ１６）。
ステップ１４からステップ１６での処理によって、第２推薦候補者Ｒ１２の中から推薦不適者を除外して第２推薦者が決定される。
処理手段３０では、第２推薦者の抽出処理の後に、第２推薦者の表示順位決定のための処理を行う。第２推薦者の表示順位処理は、図６で既に説明した第１推薦者の表示順位処理と同一であるため対応するステップ番号を図８で表示して説明を省略する。
【００３７】
本実施例によれば、第１同性リンク者ＭＬ２１は異性からの好まれ方が対象者Ｍ２１と同じグループであると考えられ、この第１同性リンク者ＭＬ２１に交際の申込を行ったことがある異性Ｗ２６、Ｗ２７は対象者Ｍ２１を好む可能性が高いため、このような異性Ｗ２６、Ｗ２７を第２推薦候補者Ｒ１２として抽出することで、交際が成立する可能性を高めることができる。
また、本実施例によれば、第２同性リンク者ＭＬ２２は異性に対する好み方が対象者Ｍ２１と同じグループであると考えられ、この第２同性リンク者ＭＬ２２が交際の申込を行ったことがある異性Ｗ２４、Ｗ２５、Ｗ２６、Ｗ２７は対象者Ｍ２１が好む可能性が高いため、このような異性Ｗ２４、Ｗ２５、Ｗ２６、Ｗ２７に第２推薦候補者Ｒ１２を絞ることで、更に交際が成立する可能性を高めることができる。
【００３８】
図１０は、本実施例による結婚支援装置での第３推薦者を表示するための処理流れを示すフロー図、図１１は同処理流れの説明図である。
第３推薦者を抽出するための処理は、図１に示す推薦者抽出手段３１で行われる。
第３推薦者を抽出するための処理は、以下の点を除いて第１推薦者を抽出するための処理と同一である。
推薦者抽出手段３１では、ステップ１２の後に、抽出された第１同性リンク者ＭＬ１１に交際の申込を行ったことがある異性Ｗ１２、Ｗ１３、Ｗ１４を推薦候補者Ｒ１０とし、推薦候補者Ｒ１０の中で更に第１同性リンク者ＭＬ１１と交際が成立していない異性Ｗ１２、Ｗ１３を第３推薦候補者Ｒ１３として行動履歴データベース１２から抽出する（ステップ３３）。
【００３９】
本実施例によれば、第１同性リンク者ＭＬ１１は異性からの好まれ方が対象者Ｍ１１と同じグループであると考えられ、この第１同性リンク者ＭＬ１１に交際の申込を行ったことがある異性Ｗ１２、Ｗ１３、Ｗ１４は対象者Ｍ１１を好む可能性が高いため、このような異性Ｗ１２、Ｗ１３、Ｗ１４を推薦候補者Ｒ１０として抽出することで、交際が成立する可能性を高めることができる。
また、本実施例によれば、交際の申込を行った結果として交際が成立しなかった異性Ｗ１２、Ｗ１３を第３推薦候補者Ｒ１３とすることで、例えば第１推薦候補者Ｒ１１が抽出できない場合に有効である。
【００４０】
図６から図１１で説明した第１推薦者、第２推薦者、および第３推薦者は、それぞれ別々に、ステップ４におけるお勧め相手一覧として表示してもよいが、第１推薦者と第２推薦者とを併せて一覧表示とし、第１推薦者と第３推薦者とを併せて一覧表示とし、または第１推薦者と第２推薦者と第３推薦者とを併せて一覧表示とすることができる。
第１推薦者と第２推薦者とを併せて一覧表示とする場合には、第１推薦者を第１ランク、第２推薦者を第１ランクより下位とする第２ランクとして順位決定して表示することが好ましい。
第１推薦者と第３推薦者とを併せて一覧表示とする場合には、第１推薦者を第１ランク、第３推薦者を第１ランクより下位とする第２ランクとして順位決定して表示することが好ましい。
第１推薦者と第２推薦者と第３推薦者とを併せて一覧表示とする場合には、第１推薦者を第１ランク、第２推薦者を第１ランクより下位とする第２ランク、第３推薦者を第２ランクより下位とする第３ランクとして順位決定して表示することが好ましい。
【００４１】
図１２は、本実施例による結婚支援装置での新しい出会予報の算出処理を示すフロー図である。
出会度演算手段３４では、対象イベントと同種の過去のイベントに参加したことがある第１会員リストをイベント情報データベース１３から抽出する（ステップ６１）。
また、出会度演算手段３４では、対象者が過去に参加したイベントに参加したことがある第２会員リストを抽出する（ステップ６２）。
そして、出会度演算手段３４では、ステップ６１で抽出した第１会員リストとステップ６２で抽出した第２会員リストとの不一致率を演算する（ステップ６３）。例えば、第１会員リストとして１００名の会員が抽出され、第１会員リストにある１００名の中で６０名が第２会員リストで抽出された場合には一致率が６０％となるため、新しい出会予報は４０％となり、一致率が高いほど新しい出会予報数値は低く、一致率が低いほど新しい出会予報数値は高くなる。
表示手段４０では、図５に示すように、不一致率を対象イベントに対する対象者の新しい出会予報として表示する。
本実施例によれば、新しい出会のチャンスの多さを知ることができ、新しい出会の可能性の高いイベントに参加することができる。
【００４２】
以上のように本発明は、処理手段３０が、対象者Ｍ１１、Ｍ２１に交際の申込を行ったことがある異性Ｗ１１、Ｗ２１、Ｗ２２を第１異性リンク者ＷＬ１１、ＷＬ２１として行動履歴データベース１２から抽出する第１ステップと、抽出された第１異性リンク者ＷＬ１１、ＷＬ２１が交際の申込を行ったことがある同性Ｍ１２、Ｍ１３、Ｍ１４を第１同性リンク者ＭＬ１１、ＭＬ２１として行動履歴データベース１２から抽出する第２ステップと、抽出された第１同性リンク者ＭＬ１１、ＭＬ２１に交際の申込を行ったことがある異性Ｗ２６、Ｗ２７を推薦候補者Ｒ１１、Ｒ１２、Ｒ１３として行動履歴データベース１２から抽出する第３ステップを有する。
本発明によれば、第１同性リンク者ＭＬ１１、ＭＬ２１は異性からの好まれ方が対象者Ｍ１１、Ｍ２１と同じグループであると考えられ、この第１同性リンク者ＭＬ１１、ＭＬ２１に交際の申込を行ったことがある異性Ｗ１２、Ｗ１３、Ｗ１４、Ｗ２６、Ｗ２７は対象者Ｍ１１、Ｍ２１を好む可能性が高いため、このような異性Ｗ１２、Ｗ１３、Ｗ１４、Ｗ２６、Ｗ２７を推薦候補者Ｒ１１、Ｒ１２、Ｒ１３として抽出することで、交際が成立する可能性を高めることができる。
更に本発明は、処理手段３０が、第３ステップでは、第１同性リンク者ＭＬ１１と交際が成立した異性Ｗ１４を推薦候補者Ｒ１１として行動履歴データベース１２から抽出することで、交際の申込を行っただけでなくその結果として交際が成立した異性Ｗ１４を推薦候補者Ｒ１１とすることで、更に交際が成立する可能性を高めることができる。
また本発明は、処理手段３０が、対象者Ｍ２１が交際の申込を行ったことがある異性Ｗ２２を第２異性リンク者ＷＬ２２として行動履歴データベース１２から抽出する第４ステップと、抽出された第２異性リンク者ＷＬ２２に交際の申込を行ったことがある同性Ｍ２４、Ｍ２５、Ｍ２６を第２同性リンク者ＭＬ２２として行動履歴データベース１２から抽出する第５ステップと、抽出された第２同性リンク者ＭＬ２２が交際の申込を行ったことがある異性Ｗ２４、Ｗ２５、Ｗ２６、Ｗ２７を第３異性リンク者ＷＬ２３として行動履歴データベース１２から抽出する第６ステップを有し、第３ステップでは、第６ステップで抽出された第３異性リンク者ＷＬ２３の中で、第１同性リンク者ＭＬ２１に交際の申込を行ったことがある異性Ｗ２６、Ｗ２７を推薦候補者Ｒ１２として行動履歴データベース１２から抽出する。
本発明によれば、第２同性リンク者ＭＬ２２は異性に対する好み方が対象者Ｍ２１と同じグループであると考えられ、この第２同性リンク者ＭＬ２２が交際の申込を行ったことがある異性Ｗ２４、Ｗ２５、Ｗ２６、Ｗ２７は対象者Ｍ２１が好む可能性が高いため、このような異性Ｗ２４、Ｗ２５、Ｗ２６、Ｗ２７に更に絞ることで、更に交際が成立する可能性を高めることができる。
また本発明は、処理手段３０が、第３ステップでは、第１同性リンク者ＭＬ１１と交際が成立していない異性Ｗ１２、Ｗ１３を第３推薦候補者Ｒ１３として行動履歴データベース１２から抽出することで、第１推薦候補者Ｒ１１が存在しないか極めて少人数である場合に、お勧め相手として多くの相手を抽出することができる。
また本発明は、推薦者抽出手段３１で複数の推薦者が抽出された場合には、推薦者順位決定手段３３が、対象者Ｍ１１のお気に入りリストに登録されている推薦者を、対象者Ｍ１１のお気に入りリストに登録されていない推薦者よりも上位ランクとなるように推薦者順位を決定することで、複数の推薦者が抽出された場合に、対象者Ｍ１１の好みに合う異性を上位に表示させることができる。
また本発明は、推薦者抽出手段３１で複数の推薦者が抽出された場合には、推薦者順位決定手段３３が、対象者Ｍ１１をお気に入りリストに登録している推薦者を、対象者Ｍ１１をお気に入りリストに登録していない推薦者よりも上位ランクとなるように推薦者順位を決定することで、複数の推薦者が抽出された場合に、交際が成立する可能性が高い異性を上位に表示させることができる。
また本発明は、推薦者抽出手段３１で複数の推薦者が抽出された場合には、推薦者順位決定手段３３が、対象者Ｍ１１のお気に入り順位に従って推薦者順位を決定することで、こだわり条件に合致する異性を上位に表示させることができる。
なお、上記各実施例では行動履歴として、交際の申込を例に説明したが、申込は、交際やお見合いに限るものではなく、また行動履歴は、交際やお見合いの申込以外に対話やコメント送信など、特定の個人に対して具体的な行動（意思表示）を行った履歴であればよい。また、特定の個人に対する具体的な行動は予備的な行動でもよく、予備的な行動履歴としては、例えばお気に入りリストへの登録のように、特定の個人に対しては未だ行動を行っていないが、登録という行動で記録されている履歴を用いることができる。
また、本実施例では、図２で説明したように、ステップ１における会員登録が行われると、ステップ２からステップ７に示す交際の申込が行えるとともに、ステップ８からステップ９に示すイベント参加が行えるとして説明したが、登録する基本情報の内容を区別して、ステップ２からステップ７に示す交際の申込が行える会員と、ステップ８からステップ９に示すイベント参加が行える会員とを区別することもできる。この場合には、例えば、イベント参加が行える会員は、登録する基本情報を、氏名、生年月日、性別、年齢、住所、連絡先、および職業のように、交際の申込が行える会員が登録する基本情報よりも少なくする。このように、登録に必要な基本情報を交際の申込が行える会員とイベント参加が行える会員とで区別し、イベント参加が行える会員の登録情報を、交際の申込が行える会員の登録情報の一部に限ることで、イベント参加の会員を増やすことができる。
【産業上の利用可能性】
【００４３】
本発明は、出会を支援する装置および方法として利用できる。
【符号の説明】
【００４４】
１１  会員データベース
１２  行動履歴データベース
１３  イベント情報データベース
２０  入力手段
３０  処理手段
３１  推薦者抽出手段
３２  順位決定手段
３３  推薦者順位決定手段
３４  出会度演算手段
４０  表示手段
Ｍ１１、Ｍ２１  対象者（男性）
ＭＬ１１、ＭＬ２１  第１同性リンク者
ＭＬ２２  第２同性リンク者
ＷＬ１１、ＷＬ２１  第１異性リンク者
ＷＬ２２  第２異性リンク者
ＷＬ２３  第３異性リンク者
Ｒ１０  推薦候補者
Ｒ１１  第１推薦候補者
Ｒ１２  第２推薦候補者
Ｒ１３  第３推薦候補者
【図１】
0006563278.tif 000002
【図２】
0006563278.tif 000003
【図３】
0006563278.tif 000004
【図４】
0006563278.tif 000005
【図５】
0006563278.tif 000006
【図６】
0006563278.tif 000007
【図７】
0006563278.tif 000008
【図８】
0006563278.tif 000009
【図９】
0006563278.tif 000010
【図１０】
0006563278.tif 000011
【図１１】
0006563278.tif 000012
【図１２】
0006563278.tif 000013